(57)【特許請求の範囲】
【請求項１】
ハウジングと駆動手段を有する流体作動トルク工具が生み出すトルクを測定するための静止したトルク測定ユニットと、静止した隣接ユニットと、流体圧を付与した時にトルク工具が生み出すトルクを測定するために、トルク工具の駆動手段を前記のトルク測定ユニットに接続する第１接続手段と、調節可能な制動力を供給する制動ユニットと、トルク工具のハウジングに制動力を付与して当該ハウジングの回転を抑制する力を増大させるために、トルク工具のハウジングを前記の制動ユニットに接続する第２接続手段を備えた流体作動トルク工具用較正装置であって、
トルク工具を作動させて前記制動ユニットで決まる或る力でトルク工具のハウジングの回転を始動させながら、トルク工具の駆動手段にて前記測定ユニットに対して大きさが等しく方向が反対の力を作用させ、制動力が増加した時にトルク工具に必要な流体圧が増大するようにして、付与した流体圧に対応して生み出されたトルクを測定することでトルク工具の較正を行うことができる前記の較正装置。
【請求項２】
前記の制動ユニットが前記第２接続手段と連繋する少なくとも一つの制動ディスクを備えている請求項１記載の装置。
【請求項３】
前記の工具のハウジングへの制動ユニットによる制動力を増大させるための、前記制動ディスクに力を付与する手段をさらに設けた請求項２記載の装置。
【請求項４】
前記工具に付与された流体圧力を表示し、トルク測定ユニットで測定されるところの、工具が生み出すトルクを表示する手段をさらに備えた請求項１記載の装置。
【発明の詳細な説明】
【技術分野】
【０００１】
本発明は、流体作動トルク工具を較正(calibration)するための機器に関する。
【背景技術】
【０００２】
多くの流体作動トルク工具は、所定の油圧又は空気圧を付与した時に、所定のトルクが得られるように較正する必要がある。動力トルク工具の較正は、普通、較正装置の一部分である静止物体又は較正スタンドの一部分となる静止物体に、工具のリアクションアームを突き当て、較正装置の開口部に工具の駆動部を差し込むことで行われる。この種の較正装置は、工具のリアクションアーム又は駆動端のどちらかを動かすことなく、出力を測定でき、広く使用されている。しかしながら、この較正装置は、高速トルク工具には適していない。その理由は、較正を行っている過程で、工具のリアクションアーム又は駆動部が動いているので、高速工具の慣性が較正結果に影響を及ぼすからである。
【発明の概要】
【発明が解決しようとする課題】
【０００３】
本発明の目的の一つは、上記したような現存の較正装置を改良し、流体作動トルク工具の較正に適した新しいタイプの較正装置を提供することにある。
【課題を解決するための手段】
【０００４】
本発明に係る流体作動トルク工具用較正装置は、ハウジングと駆動手段を有する流体作動トルク工具がもたらすトルクを測定するための静止状態にあるトルク測定ユニットと、同じく静止状態にある隣接ユニット（abutment unit）と、トルク工具に流体圧が付与された際に工具が生み出すトルクを測定するために、前記トルク測定ユニットに工具の駆動手段が接続するよう構成された第１接続手段と、調節可能な制動力を生ずるように構成された制動ユニットと、前記工具のハウジングに制動力を付与してハウジングの回転を抑制する力を増加させるために、前記制動ユニットに工具のハウジングが接続するよう構成された第２接続手段を有している。こうした構成の構成装置では、前記工具が稼動した時に、前記制動ユニットが決める或る力で工具のハウジングが回転し始め、その一方で、工具の駆動手段は前記の測定ユニットに対し大きさが等しく、向きが逆の力を及ぼし、制動力が増大すると、工具に必要な流体圧が増大し、付与した流体圧に対応して生み出されるトルクを測定することで、慣性の影響を受けずにトルク工具の較正が行われる。
【０００５】
トルク工具は全て、大きさが等しく、方向が反対の力を生み出すので、回転力を測定部分に付与するためには、２つの接続手段のどちらが回転し、どちらが静止してかは無関係である。
【０００６】
較正は、流体作動工具に作用させた空気圧又は油圧と、トルク測定ユニットで測定されるトルク出力とを比較することで行われる。ちなみに、油圧式工具では、５００psi（約3448 kPa）の間隔で、１５００〜１０，０００psi（約10340〜68950 kPa）の範囲で、トルク出力が記録表示することができ、空気圧式工具であれば、５ psi（約34.48 kPa）の間隔で、２０〜９０psi（約137.9〜620.6 kPa）の範囲で記録表示することがでる。油圧式工具では、較正を行っている期間中、２つの接続手段の両方を静止状態に保つことが好ましい。空気圧式工具の場合は、２つの接続手段の一方を回転させておくことが好ましい。つまり、圧力を上昇させると、前記工具の回転部分の回転抵抗を増大させなければならないが、この増大は制動ユニットで実行され、空気式工具の一方の回転部分は一貫して回転し、工具は２０〜９０psi（約137.9〜620.6 kPa）の圧力で、時として１００psi（約689.5 kPa）までの圧力で較正される。
【０００７】
本発明の技術的特徴部分は、特許請求の範囲に記載されている。しかし、本発明の構成や操作方法、さらには本発明の付加的な目的などは、添付図面を参照して以下に説明する本発明の一具体例からも理解することができる。
【図面の簡単な説明】
【０００８】
【図１】流体作動トルク工具を較正するための本発明に係る較正装置を含む全体図。
【図２】本発明に係る装置の主要部である制動ユニットを拡大図。
【図３】トルク測定ユニットを除外した本発明に係る流体作動トルク工具用較正装置の図面。
【図４Ａ】本発明に係るトルク測定ユニットの側面図。
【図４Ｂ】本発明に係るトルク測定ユニットの平面図。
【発明を実施するための形態】
【０００９】
本発明に係る較正装置の全体を符号１で示す。この装置は、現存の較正スタンドが固定されるような取り付け板３を持つ隣接ユニット２を備え、この隣接ユニットは、回転することがなく、静止状態に保持されている。
【００１０】
本発明の較正装置はさらに、トルク測定ユニット４を備え、この測定ユニットは、静止状態の支持体６で支持されたトルク変換器５で含んでいる。
【００１１】
トルク測定ユニット４のトルク変換器５は、デジタル表示装置７に接続されており、この表示装置は、動力トルク工具に付与されている作動流体の圧力の値と、当該トルク工具が生み出し、トルク変換器５で測定されるトルクの値を表示する。
【００１２】
トルク変換器５は、トルク測定手段（図示略）を備えていて、この測定手段は、例えば、ホイートストン・ブリッジに接続された公知のストレインゲージであって差し支えなく、このものはトルク変換器５の開口部に差し込まれたトルク工具の駆動手段による引っ張り（tension）、すなわち、歪(strain)を検出し、これに対応する電気信号を発生する。
【００１３】
本発明の較正装置はさらに、動力トルク工具Ｔの駆動手段８とトルク測定ユニット４とを接続する第１接続手段を備えている。この第１接続手段は、トルク変換器５の開口部（図示略）に嵌合するところの、例えば非円形の突起１０と、動力トルク工具の駆動手段８を収納するための、例えば非円形の開口部１１を備えたアダプターとして形成することができる。このアダプター９を使用して、動力トルク工具の駆動手段８は、図１、図２に示すように、トルク測定ユニット４と非回転で接続される。
【００１４】
本発明の較正装置はまた、図２に示すように、全体として符号１２で示される調節可能な制動ユニットを備えている。この制動ユニット１２は、例えば、スプライン加工された内部開口部１４を持つところの、交換可能なスリーブ１３であって差し支えない第２接続手段を介してトルク工具のハウジング１５と非回転で接続される。ちなみに、トルク工具のハウジング１５は、前記の内部開口部１４に嵌合できる。制動ユニット１２は、複数個の制動ディスク１６を備え、この制動ディスク１６は、スリーブ１３の外面のスプラインと係合することで、スリーブ１３と非回転で接続することができる。制動パッド１７は制動ディスク１６に配置されている。流体チャンバー１８は、制動パッド１７及び制動ディスク１６と関係し、このチャンバーには例えばホース２０を介してハンドポンプ１９により流体が供給される（図１参照）。
【００１５】
図２の符号２１は、流体圧力を調節できる作動流体供給源を示し、ここから作動流体がトルク工具に供給される。
【００１６】
本発明では、駆動手段やハウジングの寸法が異なる様々な動力トルク工具にも適用できるように、開口部１１の寸法が異なる幾つかのアダプター９を用意することができ、同様に、内部開口部１４の寸法が異なるスリーブ１３を複数個用意することができる。
【００１７】
本発明に係る流体作動トルク工具用較正装置は、次のように操作される。
流体作動トルク工具の駆動手段８を較正装置のトルク測定ユニット４に、第１接続手段を介して非回転で接続し、トルク工具のハウジング１５を較正装置の制動ユニット１２に、第２接続手段を介して非回転で接続する。そして作動流体をその供給源２１からトルク工具に供給して工具を稼動させる。類似の流体を装置の制動ユニット１２のチャンバー１８に導入し、トルク工具のハウジング１５の回転を抑制する力を増大させる。制動ユニット１２で決まる或る力でハウジング１５の回転を始動させる。この際、トルク工具の駆動手段８は、トルク測定ユニット４に対し、大きさが等しく、方向が逆の力を及ぼす。制動ユニットにおける制動ディスク１６の回転抵抗が増大すると、当該制動ディスク１６を回転させるためにトルク工具に必要な圧力は増大する。この場合、流体供給源２１によってトルク工具に付与される流体圧力と、トルク測定ユニットによって測定される発生トルクとは、表示装置７のディスプレーに表示される。こうして、動力トルク工具は、慣性の影響を受けることなく較正することができる。
【００１８】
油圧式工具を較正する場合にあっては、例えば、５００psi（約3448 kPa）の間隔で、１５００〜１０，０００psi（約10340〜68950 kPa）の範囲でトルクを登録表示することができ、空気式工具にあっては、例えば、５ psi（約34.48 kPa）の間隔で、２０〜９０psi（約137.9〜620.6 kPa）の範囲でトルクを登録表示することがでる。油圧式工具を較正する過程では、トルク工具の駆動手段を較正装置に接続する第１接続手段と、トルク工具のハウジングを較正装置に接続する第２接続手段は、共に非回転の静止状態に保持される。空気式工具を較正する過程では、２つの接続手段の一方を回転させることが称揚される。
【００１９】
上記した較正装置の一つ又はそれ以上の要素は、この装置と異なる構造の装置にも適用することができる。
【００２０】
本発明の技術思想は、これを流体作動工具の較正装置に具現化して説明して来たが、本発明の考え方から逸脱することのない改良や構造的変更が多様に存在するので、本発明は上述した較正装置に限定されるものではない。
【符号の説明】
【００２１】
１：較正装置            ２：非回転隣接ユニット    ３：取り付け板
４：測定ユニット        ５：トルク変換器        ６：支持板
７：デジタル表示装置    ８：駆動手段            ９：アダプター
１０：アダプター突起部    １２：アダプター開口部    １３：スリーブ
１４：内側開口部        １５：ハウジング        １６：制動ディスク
１７：制動パッド        １８：制動チャンバー        ２１：流体供給源
【図１】
0004892707.tif 000002
【図２】
0004892707.tif 000003
【図３】
0004892707.tif 000004
【図４Ａ】
0004892707.tif 000005
【図４Ｂ】
0004892707.tif 000006